(57)【要約】【課題】横方向のスペースに余裕がない場合でも配設ができ、かつ、遊技機を遊技機島の所定の装着位置から離した場合に遊技媒体の補給を確実に停止できる遊技媒体の補給装置を提供する。【解決手段】補給装置３０は、遊技媒体Ｐの落下経路から遊技媒体Ｐを遮断する遮断位置まで回動する遮断部３６２と、遊技機２０の着脱の際に遊技機２０に当接して回動する当接部３６３と、落下経路の方向と異なる方向に延びた、遮断部３６２および当接部３６３に共通する回動軸３６１を有して遮断部３６２を遮断位置に向ける回動部３６４とを有して成るストッパー３６０を備え、このストッパー３６０は、遊技機２０が所定の装着位置に装着される際、遊技機２０に押された当接部３６３に連動する遮断部３６２が待機位置まで回動して、遊技媒体Ｐの補給を可能にし、遊技機２０が所定の装着位置から外れる際には、遮断部３６２が遮断位置まで回動して遊技媒体Ｐの補給を遮断する。【選択図】図１
2005230453.tif 000002
【特許請求の範囲】
【請求項１】
遊技機島に着脱可能に装着されている遊技機に遊技媒体を落として補給する、遊技媒体の補給装置において、
前記遊技媒体の落下経路から外れた第１位置から補給装置本体の出口にて前記遊技媒体の落下を遮断する第２位置まで回動する遮断部と、
前記遊技機の着脱の際に前記遊技機に当接して回動する当接部と、
前記落下経路の方向と異なる方向に延びた、前記遮断部および当接部に共通する回動軸を有し、前記遮断部を前記第２位置に向けるように回動する回動部とを有して成るストッパーを備え、
前記ストッパーは、前記遊技機が所定の装着位置に装着される際には、前記遊技機に押された前記当接部が前記回動部を回動して前記遮断部を前記第１位置まで回動することにより、前記遊技媒体の補給を可能にし、前記遊技機が前記所定の装着位置から外れる際には、前記回動部の回動によって前記遮断部が前記第２位置まで回動して前記遊技媒体の補給を遮断することを特徴とする遊技媒体の補給装置。
【請求項２】
前記当接部と前記回動部とは一体に形成されており、
前記遮断部は、前記回動部に連結されており、前記当接部の回動に連動して当該当接部の回動方向に回動することを特徴とする請求項１に記載の遊技媒体の補給装置。
【請求項３】
前記遮断部は、前記回動軸に連結された連結アームの先端部に取り付けられたことを特徴とする請求項２に記載の遊技媒体の補給装置。
【請求項４】
前記遮断部と前記当接部と前記回動部とは、一体に形成されたことを特徴とする請求項１に記載の遊技媒体の補給装置。
【請求項５】
前記回動部は、前記回動軸から下方に延びるアームを有し、
前記当接部は、前記アームの先端部から下方に延び、
前記遮断部は、前記第２位置にて前記落下経路に直交する方向に延びたことを特徴とする請求項４に記載の遊技媒体の補給装置。
【請求項６】
前記回動部は、前記遮断部を前記第２位置に向ける前記回動をするための付勢手段を備えたことを特徴とする請求項１，２，３，４または５に記載の遊技媒体の補給装置。
【請求項７】
前記付勢手段は、前記回動部の一端部に形成された巻きばねであることを特徴とする請求項６に記載の遊技媒体の補給装置。
【請求項８】
前記遊技機は前記補給される遊技媒体を受けて貯留する貯留タンクを有し、
前記当接部は前記遊技機の着脱の際に、前記貯留タンクに当接することを特徴とする請求項１，２，３，４，５，６または７に記載の遊技媒体の補給装置。
【請求項９】
遊技機島に着脱可能に装着されている遊技機に遊技媒体を落として補給する、遊技媒体の補給装置において、
前記補給装置本体内に昇降可能に設けられた昇降金具と、
当該昇降金具内に装着され、内側を前記遊技媒体が通過する引張りコイルばねから成るノズルと、
前記遊技媒体の落下経路から外れた第１位置から補給装置本体の出口にて前記遊技媒体の落下を遮断する第２位置まで回動する遮断部、前記遊技機の着脱の際に前記遊技機に当接して回動する当接部、および前記落下経路の方向と異なる方向に延びた、前記遮断部および当接部に共通する回動軸を有し、前記遮断部を前記第２位置に向けるように回動する回動部とを有して成るストッパーと、
当該ストッパーの回動軸が架設され、前記昇降金具の昇降に連動して前記回動軸を回動中心にして回動する中継部材と、を備え、
前記ストッパーは、前記遊技機が所定の装着位置に装着される際には、前記遊技機に押された前記当接部が前記回動部を回動して前記遮断部を前記第１位置まで回動することにより、前記遊技媒体の補給を可能にするとともに前記昇降金具を下げ、前記遊技機が前記所定の装着位置から外れる際には、前記ノズルの引っ張り上げによって上昇する前記昇降金具に連動する前記回動部の回動によって前記遮断部が前記第２位置まで回動して前記遊技媒体の補給を遮断することを特徴とする遊技媒体の補給装置。
【発明の詳細な説明】
【技術分野】
【０００１】
本発明は、遊技機島に着脱可能に装着されている遊技機に遊技媒体を落として補給する、遊技媒体の補給装置に関する。
【背景技術】
【０００２】
従来の遊技媒体の補給装置としては、例えば図１２ないし図１４に示すようなものがある。
【０００３】
図１２は、従来の遊技媒体の補給装置を示す正面図である。図１３は、従来の遊技媒体の補給装置を備える遊技機が遊技機島に装着されて遊技媒体の補給を受けている様子を示す図である。図１４は、図１３における遊技機が所定の装着位置から離れたときの様子を示す図である。
【０００４】
図１２に示すように、従来の遊技媒体の補給装置５００は、遊技媒体Ｐを通過させる補給路５１０を本体内部に有し、遊技機島５５０の不図示の補給樋に配置された分岐装置から流下してきた遊技媒体Ｐを補給路５１０に通して遊技機に補給したり、補給を中断させたりしている。遊技媒体Ｐは、矢印Ａで示すように補給路５１０内を通過する。
【０００５】
補給装置５００は、補給路５１０を遮断して遊技媒体Ｐの補給を中止させるためのストッパー５２０を備えている。このストッパー５２０は、その一部が補給路５１０に進退して遊技機への遊技媒体Ｐの補給を遮断したり、補給を可能にしたりするものである。このようなストッパー５２０の動作は、遊技媒体Ｐの放出口５１１付近に配設されたレバー５２１に連動するアーム５２２に連動して行なわれる。
【０００６】
図１３に示すように、遊技機５４０が遊技機島５５０の所定の装着位置に装着されている場合には、遊技媒体Ｐを貯留するための貯留タンク５４１がレバー５２１を押し込んでいる。このレバー５２１にアーム５２２が連動し、さらにこのアーム５２２に連動したストッパー５２０の一部が補給路５１０内から退いて遊技媒体Ｐの補給を可能にしている。
【０００７】
また、図１４に示すように、遊技機５４０が遊技機島５５０の所定の装着位置から矢印Ｂ方向に離れた場合には、レバー５２１が巻きばね５２３（図１２参照）の付勢力によって回動する。あるいはスプリング５２４によって引き揚げられた昇降金具に連動して回動する。これにより、アーム５２２はストッパー５２０から離れるので、ストッパー５２０の一部が補給路５１０内に進んで遊技媒体Ｐの通過を遮断して、遊技媒体Ｐの補給が中断される。
【０００８】
ところが、図１２に示したように、ストッパー５２０は補給路５１０の途中で遊技媒体Ｐの通過を遮断している。このため、図１４に示したように、遊技機５４０を遊技機島５５０の所定の装着位置から矢印Ｂ方向に離したときに黒塗りで示した遊技媒体Ｐが貯留タンク５４１には補給されずに遊技機島５５０内に零れ落ちてしまうという問題が有った。
【０００９】
この問題を解決するために、補給装置の放出口の下で貯留タンクへの遊技媒体の補給を遮断したり、補給を可能にしたりするストッパーを備えたものが提案されている（例えば、特許文献１参照）。
【００１０】
図１５ないし図１７にはこのストッパーを備えた補給装置の概略が示されている。
【００１１】
図１５は、従来の遊技媒体の補給装置を側方から見た概略側面図である。図１６は、図１５におけるストッパーを上から見た概略平面図である。図１７は、遊技機島の所定の装着位置から遊技機が離れたときの様子を示す図である。
【００１２】
遊技媒体Ｐの補給装置５００Ａは下端部にストッパー５６０を備えている。ストッパー５６０は、先端部５６１ａが下方に屈曲したアーム５６１を有しており、このアーム５６１の後端部５６１ｂがヒンジ５６２によって補給装置５００Ａの下端面に取り付けられている。これにより、図１６に示すようにアーム５６１は水平面内を回動することができる。
【００１３】
図１７に示すように、遊技機５４０が遊技機島５５０の所定の装着位置に装着されている場合には、遊技媒体Ｐを貯留するための貯留タンク５４１が先端部５６１ａに当接してアーム５６１を補給装置５００Ａの放出口５０１の下から２点鎖線で示した位置まで押し込んでいる。これにより、アーム５６１は遊技媒体Ｐを遮断することなく、また、貯留タンク５４１は放出口５０１の下に位置しているので遊技媒体Ｐを貯留タンク５４１に補給することが可能である。
【００１４】
また、遊技機５４０が遊技機島５５０の所定の装着位置から矢印Ｂ方向に離れた場合には、アーム５６１が回動し、補給装置５００Ａの放出口５０１の下まで進入して遊技媒体Ｐの補給を遮断する。
【００１５】
【特許文献１】特開平０８−１９１９４１号公報
【発明の開示】
【発明が解決しようとする課題】
【００１６】
しかしながら、このような従来の技術では、アーム５６１が水平方向に回動するので、各種機器が混み入って配置されている遊技機島内では横方向のスペースに余裕がないために配設が難しい場合があるという問題点があった。
【００１７】
本発明は、このような従来の技術が有する問題点に着目してなされたもので、横方向のスペースに余裕がない場合でも配設することができ、かつ、遊技機を遊技機島の所定の装着位置から離した場合に余分な遊技媒体が遊技機島内に落ちることなく、遊技媒体の補給を確実に停止することができる遊技媒体の補給装置を提供することを目的としている。
【課題を解決するための手段】
【００１８】
かかる目的を達成するための本発明の要旨とするところは、次の各項の発明に存する。
［１］遊技機島（１０）に着脱可能に装着されている遊技機（２０）に遊技媒体（Ｐ）を落として補給する、遊技媒体の補給装置（３０，３０Ａ）において、
前記遊技媒体（Ｐ）の落下経路から外れた第１位置から補給装置本体（３００，３００Ａ）の出口（３１０）にて前記遊技媒体（Ｐ）の落下を遮断する第２位置まで回動する遮断部（３６２，４０２）と、
前記遊技機（２０）の着脱の際に前記遊技機（２０）に当接して回動する当接部（３６３，４０３）と、
前記落下経路の方向と異なる方向に延びた、前記遮断部（３６２，４０２）および当接部（３６３，４０３）に共通する回動軸（３６１，４１０）を有し、前記遮断部（３６２，４０２）を前記第２位置に向けるように回動する回動部（３６４，４０４）とを有して成るストッパー（３６０，４００）を備え、
前記ストッパー（３６０，４００）は、前記遊技機（２０）が所定の装着位置に装着される際には、前記遊技機（２０）に押された前記当接部（３６３，４０３）が前記回動部（３６４，４０４）を回動して前記遮断部（３６２，４０２）を前記第１位置まで回動することにより、前記遊技媒体（Ｐ）の補給を可能にし、前記遊技機（２０）が前記所定の装着位置から外れる際には、前記回動部（３６４，４０４）の回動によって前記遮断部（３６２，４０２）が前記第２位置まで回動して前記遊技媒体（Ｐ）の補給を遮断することを特徴とする遊技媒体の補給装置（３０，３０Ａ）。
【００１９】
［２］前記当接部（３６３）と前記回動部（３６４）とは一体に形成されており、
前記遮断部（３６２）は、前記回動部（３６４）に連結されており、前記当接部（３６３）の回動に連動して当該当接部（３６３）の回動方向に回動することを特徴とする［１］に記載の遊技媒体の補給装置（３０）。
【００２０】
［３］前記遮断部（３６２）は、前記回動軸（３６１）に連結された連結アーム（３６５）の先端部（３６５ａ）に取り付けられたことを特徴とする［２］に記載の遊技媒体の補給装置（３０）。
【００２１】
［４］前記遮断部（４０２）と前記当接部（４０３）と前記回動部（４０４）とは、一体に形成されたことを特徴とする［１］に記載の遊技媒体の補給装置（３０Ａ）。
【００２２】
［５］前記回動部（４０４）は、前記回動軸（４１０）から下方に延びるアーム（４０４ａ）を有し、
前記当接部（４０３）は、前記アーム（４０４ａ）の先端部から下方に延び、
前記遮断部（４０２）は、前記第２位置にて前記落下経路に直交する方向に延びたことを特徴とする［４］に記載の遊技媒体の補給装置（３０Ａ）。
【００２３】
［６］前記回動部（３６４，４０４）は、前記遮断部（３６２，４０２）を前記第２位置に向ける前記回動をするための付勢手段（３６４ａ，４０１）を備えたことを特徴とする［１］，［２］，［３］，［４］または［５］に記載の遊技媒体の補給装置（３０，３０Ａ）。
【００２４】
［７］前記付勢手段（３６４ａ，４０１）は、前記回動部（３６４，４０４）の一端部に形成された巻きばねであることを特徴とする［６］に記載の遊技媒体の補給装置（３０，３０Ａ）。
【００２５】
［８］前記遊技機（２０）は前記補給される遊技媒体（Ｐ）を受けて貯留する貯留タンク（２１）を有し、
前記当接部（３６３，４０３）は前記遊技機（２０）の着脱の際に、前記貯留タンク（２１）に当接することを特徴とする［１］，［２］，［３］，［４］，［５］，［６］または［７］に記載の遊技媒体の補給装置（３０，３０Ａ）。
【００２６】
［９］遊技機島（１０）に着脱可能に装着されている遊技機（２０）に遊技媒体（Ｐ）を落として補給する、遊技媒体の補給装置（３０，３０Ａ）において、
前記補給装置本体（３００）内に昇降可能に設けられた昇降金具（３５２）と、
当該昇降金具（３５２）内に装着され、内側を前記遊技媒体（Ｐ）が通過する引張りコイルばねから成るノズル（３５０）と、
前記遊技媒体（Ｐ）の落下経路から外れた第１位置から補給装置本体（３００）の出口にて前記遊技媒体（Ｐ）の落下を遮断する第２位置まで回動する遮断部（３６２，４０２）、前記遊技機（２０）の着脱の際に前記遊技機（２０）に当接して回動する当接部（３６３，４０３）、および前記落下経路の方向と異なる方向に延びた、前記遮断部（３６２，４０２）および当接部（３６３，４０３）に共通する回動軸（３６１，４１０）を有し、前記遮断部（３６２，４０２）を前記第２位置に向けるように回動する回動部（３６４，４０４）とを有して成るストッパー（３６０，４００）と、
当該ストッパー（３６０，４００）の回動軸が架設され、前記昇降金具（３５２）の昇降に連動して前記回動軸（３６１，４１０）を回動中心にして回動する中継部材（３７０，４７０）とを備え、
前記ストッパー（３６０，４００）は、前記遊技機（２０）が所定の装着位置に装着される際には、前記遊技機（２０）に押された前記当接部（３６３，４０３）が前記回動部（３６４，４０４）を回動して前記遮断部（３６２，４０２）を前記第１位置まで回動することにより、前記遊技媒体（Ｐ）の補給を可能にするとともに前記昇降金具（３５２）を下げ、前記遊技機（２０）が前記所定の装着位置から外れる際には、前記ノズル（３５０）の引っ張り上げによって上昇する前記昇降金具（３５２）に連動する前記回動部（３６４，４０４）の回動によって前記遮断部（３６２，４０２）が前記第２位置まで回動して前記遊技媒体（Ｐ）の補給を遮断することを特徴とする遊技媒体の補給装置（３０，３０Ａ）。
【００２７】
前記本発明は次のように作用する。
［１］の遊技媒体の補給装置（３０，３０Ａ）によれば、遊技機島（１０）の補給樋に配置された分岐装置から流下してきた遊技媒体（Ｐ）が補給装置（３０，３０Ａ）の内部に設けられた補給路（３４１）を通過する。このとき、遊技機（２０）が遊技機島（１０）の所定の装着位置に装着されている場合には遊技媒体（Ｐ）を遊技機（２０）に落とすようにして補給することができる。一方、遊技機（２０）が所定の装着位置に装着されていない場合には、ストッパー（３６０，４００）が遊技媒体（Ｐ）の落下を補給装置本体（３００）の出口（３１０）にて遮断して、遊技媒体（Ｐ）の補給を停止させる。
【００２８】
補給装置（３０，３０Ａ）は、遊技機島（１０）の所定の装着位置に着脱可能に装着されている遊技機（２０）毎に、遊技機島（１０）側に配設されている。遊技機（２０）は背面側に遊技媒体（Ｐ）を貯留するための貯留タンク（２１）が設けられており、この貯留タンク（２１）に上記出口（３１０）から遊技媒体（Ｐ）が落下して補給される。
【００２９】
以上のように、遊技機（２０）に設けられたストッパー（３６０，４００）は、貯留タンク（２１）に押されて回動する当接部（３６３，４０３）とともに回動する遮断部（３６２，４０２）の動作によって上記出口（３１０）からの遊技媒体（Ｐ）の落下およびその遮断を行ない、もって、遊技媒体（Ｐ）の補給および補給の停止を行なっている。
【００３０】
遊技機（２０）が所定の装着位置に装着されていないときは、ストッパー（３６０，４００）の回動部（３６４，４０４）に設けられた付勢手段（３６４ａ，４０１）によって回動部（３６４，４０４）自身が回動して、遮断部（３６２，４０２）は出口（３１０）の下の第２位置に位置している。この第２位置では、遮断部（３６２，４０２）は遊技媒体（Ｐ）の落下経路上にあるので、遊技媒体（Ｐ）の落下を確実に防止できる。すなわち、遊技媒体（Ｐ）の補給を確実に停止することができる。
【００３１】
遊技機（２０）が所定の装着位置に装着される際には、ストッパー（３６０，４００）の当接部（３６３，４０３）が遊技機（２０）の貯留タンク（２１）に押されて、上記付勢手段（３６４ａ，４０１）の付勢力に抗して当接部（３６３，４０３）を回動させる。この回動によって遮断部（３６２，４０２）は遊技媒体（Ｐ）の落下経路から外れた第１位置まで回動する。これにより、遊技媒体（Ｐ）は出口（３１０）から貯留タンク（２１）内に落下するので、遊技機（２０）は遊技媒体（Ｐ）の補給を受けることができる。
【００３２】
上記のようにストッパー（３６０，４００）は、所定の着脱位置における遊技機（２０）の着脱に直接に連動しながら出口（３１０）の下で遊技媒体（Ｐ）の落下を可能にしたり、遮断したりするので、遊技機（２０）が所定の装着位置から離れた際に、遊技媒体（Ｐ）が遊技機（２０）に補給され損なって遊技機島（１０）内に落下してしまうことを防止することができる。
【００３３】
上記の遮断部（３６２，４０２）および当接部（３６３，４０３）は共通する回動軸（３６１，４１０）を有し、この回動軸（３６１，４１０）を中心にして回動する。この回動軸（３６１，４１０）は遊技媒体（Ｐ）の落下経路の方向と異なる方向に延びている。このため、遮断部（３６２，４０２）、当接部（３６３，４０３）および回動部（３６４，４０４）が回動する回動面は、従来のような落下経路の方向に直交する面（水平面）内にはない。このため、横方向のスペースに余裕がない場合であっても本発明の遊技媒体の補給装置（３０，３０Ａ）を遊技機島（１０）に装着することができる。
【００３４】
なお、当接部（３６３）と回動部（３６４）とを一体に形成して、回動軸（３６１）に連結された連結アーム（３６５）の先端部（３６５ａ）に遮断部（３６２）を取り付けることにより、少ない部品でストッパー（３６０）を製造することができる。
【００３５】
さらに、遮断部（４０２）と当接部（４０３）と回動部（４０４）とを一体に形成することにより、ストッパー（４００）はより少ない部品で製造できる。
【００３６】
さらにまた、付勢手段（３６４ａ，４０１）として回動部（３６４，４０４）の一端部を巻きばねに形成することにより、一層に少ない部品でストッパー（３６０，４００）を製造できる。したがって、補給装置（３０，３０Ａ）は製造コストの低減化を図ることができる。また、部品点数が少ないので、それだけ故障が発生し得る箇所が減少することとなる。
【００３７】
［９］の遊技媒体の補給装置（３０，３０Ａ）によれば、
引張りコイルばねから成るノズル（３５０）を内部に装着した昇降金具（３５２）がストッパー（３６０，４００）に連動して昇降する際に、遮断部（３６２，４０２）が前記第１位置から前記第２位置まで回動するときには、ノズル（３５０）の付勢力が加わって昇降金具（３５２）が上昇する。これに連動して前記回動部（３６４，４０４）が回動するので前記遮断部（３６２，４０２）は確実に前記第２位置まで回動できる。
【発明の効果】
【００３８】
本発明にかかる遊技媒体の補給装置によれば、ストッパーは、遊技媒体の落下経路から外れた第１位置から遊技媒体の落下を遮断する第２位置まで回動する遮断部および当接した遊技機によって回動部を回動する当接部の回動軸が共通しており、当該回動軸の延びる方向が上記落下経路の方向と異なることにより、遮断部、当接部および回動部が回動する回動面が落下経路の方向に直交せず、水平面にはならないので、横方向のスペースに余裕がない場合であっても配設することができる。
【００３９】
また、遊技媒体の補給装置本体の出口の下の第２位置にて遊技媒体の落下が遮断されるので、遮断後に余分な遊技媒体が落下するようなことはなく、遊技媒体の補給を確実に停止することができる。
【発明を実施するための最良の形態】
【００４０】
以下、図面に基づき本発明の好適な各種の実施の形態を説明する。
図１から図６までは本発明の第１の実施の形態を示している。  
図１は、本発明の第１の実施の形態にかかる遊技媒体の補給装置を示す正面図である。図２は、図１に示すストッパーが遊技媒体の落下を遮断しているときの補給装置を示す側面図である。図３は、図１に示すストッパーが遊技媒体の補給を可能にしているときの補給装置を示す側面図である。図４は、図１の補給装置の一部を分解して示す補給装置の分解斜視図である。図５は、補給装置から遊技機に遊技媒体が補給されているときの様子を説明する説明図である。図６は、遊技機が所定の装着位置から離れているときに補給装置が遊技媒体の補給を停止しているときの様子を説明する説明図である。
【００４１】
図５に示すように、遊技媒体Ｐの補給装置３０は遊技機島１０の装着枠１１に固定されている。装着枠１１の所定の装着位置には遊技機２０が装着されている。本実施の形態にかかる遊技機２０は、遊技媒体Ｐとしてパチンコ球を使用するものである。
【００４２】
補給装置３０は、遊技機島１０に配設された不図示の補給樋に配置されている分岐装置（図示せず）からホース部材（図示せず）を通って流下してきたパチンコ球Ｐを遊技機２０に補給するものである。この補給の様子については、後に図５および図６を参照しながら説明する。
【００４３】
遊技機２０は、裏側の上部にパチンコ球Ｐを貯留しておくための貯留タンク２１が設けられている。遊技機２０が装着枠１１の所定の装着位置に装着されているときに、補給装置３０は貯留タンク２１にパチンコ球Ｐを落とすようにして補給する。
【００４４】
補給装置本体３００（図１参照）は樹脂材または金属により成形されている。この本体３００には、略Ｌ字形状の断面を有する取付ブラケット３２０が設けられている。この取付ブラケット３２０を遊技機島１０の装着枠１１の上枠に固定することにより、補給装置３０は遊技機島１０に固定される。
【００４５】
図１から図４までに示すように、補給装置３０は、内部に補給路３４１が形成された補給路部材３４０と、パチンコ球Ｐが落下するようにして放出されるノズル３５０と、このノズル３５０からのパチンコ球Ｐの落下とその遮断とを選択的に行なうストッパー３６０とを備えている。このストッパー３６０は、後述するように遊技機島１０への遊技機２０の着脱に連動してパチンコ球Ｐを落下させ、また、遮断している。
【００４６】
補給路部材３４０は、遊技機島１０側からのパチンコ球Ｐをノズル３５０に導くように配設されている。補給路３４１の断面形状は、略ロ字状である。補給路部材３４０の上端部には球形状の被接続端部３４２が形成されている。補給路部材３４０の被接続端部３４２には管部材３４３がボールジョイント機構によって回動可能に連結されている。
【００４７】
管部材３４３の上端側の補給路部分は、遊技機島１０の不図示の分岐装置から延びているホース部材を差し込むためにパチンコ球Ｐの径よりもかなり大径に形成されている。この大径に形成された補給路部分以外の補給路部分は、パチンコ球Ｐの径よりもやや大きめの小径に形成されている。
【００４８】
管部材３４３の中央部の外周壁３４３ａには、一対の枢軸突起３４４が形成されている。この枢軸突起３４４によって、ロック部材３４５が揺動可能に支持されている。このロック部材３４５は、ホース部材を管部材３４３から抜けないように固定するためのものであり、ホース部材を固定する固定位置とこの固定を解除する固定解除位置との間で揺動可能である。
【００４９】
図１および図３から図５までに示すように、ノズル３５０は、パチンコ球Ｐを貯留タンク２１に放出するためのものであり、下向きに配置された引張りコイルばね３５１によって形成されている。ノズル３５０の上端口は補給路部材３４０の下端口に接続されている。
【００５０】
補給装置本体３００内には昇降可能に支持された昇降金具３５２がノズル３５０を囲むように設けられている。昇降金具３５２の断面形状は略コ字状であり、補給装置３０に装着されたときに後述するストッパー３６０の回動軸３６１に近い部分が大きく開放されている。昇降金具３５２の両側面３５２ａ，３５２ａの上部には、貫通孔３５２ｂ，３５２ｂが形成されている。この貫通孔３５２ｂ，３５２ｂには、ガイドピン３５３が架設されている。このガイドピン３５３は、ノズル３５０には接触しない位置にある。昇降金具３５２の底面にはパチンコ球Ｐを放出するための円形の出口３１０が開いている。この出口３１０の内側に上記のノズル３５０の下端口が連結されている。昇降金具３５２は、下記のストッパー３６０に連結されており、ストッパー３６０の動作に連動して昇降する。
【００５１】
補給装置本体３００には昇降金具３５２を挟むように側壁３０１ａ，３０１ａが形成されており、それぞれには上下方向に一対の細孔３０２が形成されている。この細孔３０２は、昇降金具３５２を上下方向にガイドするためのガイド溝３０２である。このガイド溝３０２のそれぞれには、上記のガイドピン３５３の端部がそれぞれ上下動可能に貫通している。
【００５２】
ガイドピン３５３の両端部には、中継部材３７０の一対の先端部３７０ａ，３７０ａが係止している。一方、中継部材３７０の基端部３７０ｂには、ピン３６１が架設されている。このピン３６１の両端部はそれぞれ、両側壁３０１ａの下部から突き出すように形成された支持腕３０１ｂの上部の開孔３０４，３０４に取り付けられている。中継部材３７０はピン３６１を回動軸として回動することができる。この中継部材３７０は、上記ガイドピン３５３の上下動に連動して回動する。このピン３６１は、出口３１０から落下するパチンコ球Ｐの落下経路の方向に直交する方向に延びるように架設されている。なお、このピン３６１の架設方向は、落下経路の方向と同一でなければ良く、必ずしも落下経路の方向に直交しなくても良い。
【００５３】
ストッパー３６０は、遊技機２０が遊技機島１０の装着枠１１の所定位置に装着されていないときは、ノズル３５０からのパチンコ球Ｐの落下（補給）を遮断し、遊技機２０が装着枠１１の所定位置に装着されているときは、ノズル３５０からのパチンコ球Ｐの落下を遮断せずにパチンコ球Ｐを遊技機２０に補給可能にするものである。
【００５４】
ストッパー３６０は、パチンコ球Ｐに直接に接触してパチンコ球Ｐの落下を遮断する遮断ピン３６２（遮断部）と、遊技機２０の着脱の際に貯留タンク２１の側壁に当接して回動するレバー３６３（当接部）と、パチンコ球Ｐを遮断する遮断位置（第２位置）に遮断ピン３６２を向けるように回動する回動部３６４とを有している。
【００５５】
遮断ピン３６２の長さは、昇降金具３５２の底面を横断する長さよりも長い。この遮断ピン３６２の両端部には、一対の円弧状の第１アーム３６５（連結アーム）のそれぞれの先端部３６５ａおよび一対の直線状の第２アーム３６６のそれぞれの先端部３６６ａが連結されている。第１アーム３６５および第２アーム３６６はそれぞれ遮断ピン３６２との連結部分で回動することができる。
【００５６】
それぞれの第２アーム３６６のもう一方の先端部３６６ｂは、昇降金具３５２の側面３５２ａに設けられた枢軸突起３５２ｃに回動可能に連結されている。一方、それぞれの第１アーム３６５のもう一方の先端部３６５ｂは、中継部材３７０の基端部３７０ｂの位置よりも下方で両側壁３０１ａ，３０１ａに設けられた枢軸突起３０３に回動可能に連結されている。
【００５７】
レバー３６３は、細い金属線をＵ字形に形成したものであり、その両端部３６４（以下、回動部３６４）には巻きばね３６４ａ，３６４ａ（付勢手段）が形成されている。レバー３６３は、この巻きばね３６４ａ，３６４ａをピン３６１に巻付けるようにして装着されている。これにより、レバー３６３はピン３６１を軸にして回動することができる。したがって、ピン３６１は、第１アーム３６５に連結された遮断ピン３６２およびレバー３６３双方に共通する回動軸の役目を果たしており、遮断ピン３６２はレバー３６３に連動して、当該レバー３６３の回動方向と同方向に回動することができる。
【００５８】
巻きばね３６４ａ，３６４ａは、その付勢力によってレバー３６３を上記のノズル３５０の方向に回動させる。レバー３６３がこの方向に回動し切った状態では、遮断ピン３６２は、出口３１０の僅かに下方で出口３１０を横断してパチンコ球Ｐの落下を遮断する遮断位置（第２位置）に位置する。なお、レバー３６３は、上記のように昇降金具３５２の昇降にも連動するように連結されているので、遊技機２０が遊技機島１０の装着枠１１の所定の位置から外れるときは、ノズル３５０の付勢力によって上昇する昇降金具３５２に連動することによっても遮断位置にもどる。
【００５９】
図５に示すように、遊技機２０が遊技機島１０の装着枠１１の所定の装着位置に装着されているときは、レバー３６３は、遊技機２０の貯留タンク２１に押されて、巻きばね３６４ａ，３６４ａの付勢力およびノズル３５０の付勢力に抗する方向に回動している。すなわち、第２位置から離れる方向に回動している。
【００６０】
このレバー３６３の回動に連動して回動した遮断ピン３６２は、パチンコ球Ｐの落下経路から外れて遊技機２０へのパチンコ球Ｐの補給を可能にする補給位置（第１位置）に退いている。このとき、第１アーム３６５と第２アーム３６６とを介してレバー３６３に連結された昇降金具３５２は、ガイド溝３０２にガイドされて降下している。これに伴って昇降金具３５２の内部ではノズル３５０が下方に引っ張られた状態にある。
【００６１】
図６に示すように、遊技機２０が装着枠１１の装着位置から外れる際には、レバー３６３は貯留タンク２１との当接状態がなくなって、上記のように巻きばね３６４ａ，３６４ａおよびノズル３５０の付勢力によって昇降金具３５２が上昇し、これによって遮断ピン３６２は遮断位置まで回動して戻る。これにより、パチンコ球Ｐの落下は遮断される。
【００６２】
以上のように、補給装置３０によれば、ストッパー３６０は、パチンコ球Ｐの落下経路から外れた補給位置よりパチンコ球Ｐの落下を遮断する遮断位置まで回動する遮断ピン３６２および当接した遊技機２０の貯留タンク２１によって回動部３６４を回動するレバー３６３双方の回動軸になるピン３６１が共通している。このピン３６１の延びる方向は落下経路の方向と異なっているので、遮断ピン３６２、レバー３６３および回動部３６４が回動する回動面は、パチンコ球Ｐの落下経路の方向に直交する面（水平面）内にはない。したがって、横方向のスペースに余裕がない場合であっても補給装置３０を容易に配設することができる。
【００６３】
また、補給装置本体３００の出口３１０の下に位置する遮断位置にてパチンコ球Ｐの落下が遮断されるので、遮断後に余分なパチンコ球Ｐが落下するようなことはなく、パチンコ球Ｐの補給を確実に停止することができる。
【００６４】
なお、本実施の形態においては、回動部３６４とレバー３６３とは一体に形成されたものとして説明したが、これらは別体に形成してもよい。また、レバー３６３はある程度の強度が有り、貯留タンク２１に当接できる形状に作れるものであればよいので、上記のような金属線でなくてもよく、さまざまな素材を使用することができる。
【００６５】
さらに、巻きばね３６４ａは回動部３６４に形成されているが、回動部３６４とは別体の巻きばねを回動部３６４に装着してもよい。
【００６６】
次に、本発明の第２の実施の形態について説明する。
図７から図１２までは本発明の第２の実施の形態を示している。
なお、第１の実施の形態と同種の部位には同一符号を付し重複した説明を省略する。
本実施の形態が第１の実施の形態と異なる点は、ストッパーの形状および構成が異なることである。
【００６７】
図７は、本発明の第２の実施の形態にかかる遊技媒体の補給装置を示す正面図である。図８は、図７に示すストッパーが遊技媒体の落下を遮断しているときの補給装置を示す側面図である。図９は、図７に示すストッパーが遊技媒体の補給を可能にしているときの補給装置を示す側面図である。図１０は、補給装置から遊技機に遊技媒体が補給されているときの様子を説明する説明図である。図１１は、遊技機が所定の装着位置から離れているときに補給装置が遊技媒体の補給を停止しているときの様子を説明する説明図である。
【００６８】
本実施の形態においても補給装置３０Ａは、遊技機２０にパチンコ球Ｐを補給するための装置である。
【００６９】
補給装置３０Ａは、図１０に示すように遊技機島１０に配設された不図示の補給樋に配置された分岐装置（図示せず）からホース部材（図示せず）を通って流下してきたパチンコ球Ｐを遊技機２０に補給する。この補給の様子については、後に図１０および図１１を参照しながら説明する。
【００７０】
図７に示すように、補給装置３０Ａは、内部に補給路３４１が形成された補給路部材３４０と、パチンコ球Ｐが放出されるノズル３５０と、パチンコ球Ｐの放出とその遮断とを選択的に行なうストッパー４００とを備えている。
【００７１】
図８および図９に示すように、ガイドピン３５３の両端部には、中継部材４７０の一対の先端部４７０ａが係止している。また、中継部材４７０の基端部４７０ｂは両側壁３０１ａの下方に形成された支持腕３０１ｂに架設されたピン４１０（回動軸）に回動可能に取り付けられている。したがって、ガイドピン３５３の上下動に連動して中継部材４７０はピン４１０を中心にして回動することができる。
【００７２】
ストッパー４００は、パチンコ球Ｐに直接接触して落下を遮断する遮断部４０２と、遊技機２０の着脱の際に遊技機２０の貯留タンク２１の側壁に当接して回動するレバー４０３（当接部）と、パチンコ球Ｐを遮断する遮断位置（第２位置）に遮断部４０２を向けるように回動する回動部４０４とを有している。
【００７３】
図７および図８に示すように、レバー４０３は細い金属線を屈曲して形成したものである。ストッパー４００を正面から見ると、金属線がＷ字形に形成されており、側面から見たときの針金は３方向に延びるアームを有するような形状に形成されている。その一対の上端部４０４（以下、回動部４０４）には巻きばね４０１，４０１（付勢手段）が形成されている。
【００７４】
巻きばね４０１，４０１はピン４１０に巻付けるようにして装着されている。この巻きばね４０１，４０１は、その付勢力によってレバー４０３をノズル３５０の方向に回動させる。レバー４０３がこの方向に回動し切った状態では、遮断部４０２はパチンコ球Ｐの落下経路に直交する方向に延びており、出口３１０の僅かに下方で出口３１０を横断してパチンコ球Ｐの落下を遮断する遮断位置（第２位置）に位置している。
【００７５】
回動部４０４からはアーム４０４ａが真直ぐに延びている。このアーム４０４ａの下端部から方向を変えて延びる上記のレバー４０３が形成されている。アーム４０４ａからレバー４０３に連続する付近では、Ｗ字形の真ん中の部分が途中からノズル３５０の位置する側に向かって直角に屈曲して真直ぐに延びている。この屈曲部分から先端までの部分が上記の遮断部４０２である。
【００７６】
上記の構成により、ストッパー４００が回動すると、これに連動して中継部材４７０が回動し、中継部材４７０の回動により、ノズル３５０を内蔵した昇降金具３５２が上下動する。また、昇降金具３５２が昇降しても、これに連動して中継部材４７０が回動し、中継部材４７０の回動により、ストッパー４００が回動する。
【００７７】
図１０に示すように、遊技機２０が遊技機島１０の装着枠１１の所定の装着位置に装着されているときは、レバー４０３は、遊技機２０の貯留タンク２１に押されて、巻きばね４０１，４０１の付勢力およびノズル３５０の付勢力に抗する、第２位置から離れる方向に回動している。
【００７８】
このレバー４０３の回動によって遮断部４０２は、パチンコ球Ｐの落下経路から外れ、遊技機２０へのパチンコ球Ｐの補給を可能にする補給位置（第１位置）に位置している。このとき、ノズル３５０はガイド溝３０２にガイドされた昇降金具３５２とともに下方に移動している。
【００７９】
図１１に示すように、遊技機２０が装着枠１１の装着位置から外れる際には、レバー４０３は貯留タンク２１との当接状態がなくなる。これにより、巻きばね４０１，４０１の付勢力によっておよび昇降金具３５２の上昇に連動してストッパー４００は、遮断部４０２が遮断位置に位置するように回動するので、パチンコ球Ｐの落下が遮断される。
【００８０】
以上のように、補給装置３０Ａによれば、ストッパー４００は、遮断部４０２、レバー４０３、回動部４０４およびアーム４０４ａが一体に形成されており、それらの回動の中心になるピン４１０の延びる方向は落下経路の方向と異なっているので、ストッパー４００が回動する回動面は、パチンコ球Ｐの落下経路の方向に直交する面（水平面）内にはない。したがって、横方向のスペースに余裕がない場合であっても補給装置３０Ａを容易に配設することができる。
【００８１】
また、補給装置本体３００の出口３１０の下に位置する遮断位置にてパチンコ球Ｐの落下が遮断されるので、遮断後に余分なパチンコ球Ｐが落下するようなことはなく、パチンコ球Ｐの補給を確実に停止することができる。
【００８２】
なお、本実施の形態においては、遮断部４０２、レバー４０３、回動部４０４およびアーム４０４ａが一体に形成されたものとして説明したが、これらは別体に形成してもよい。また、レバー４０３はある程度の強度が有り、貯留タンク２１に当接できる形状に作れるものであれば上記のような金属線でなくてもよく、樹脂その他のさまざまな素材が使用できる。
【００８３】
さらに、巻きばね４０１は回動部４０４に形成されているが、回動部４０４とは別体の巻きばねを回動部４０４に装着してもよい。
【図面の簡単な説明】
【００８４】
【図１】本発明の第１の実施の形態にかかる遊技媒体の補給装置を示す正面図である。
【図２】図１に示すストッパーが遊技媒体の落下を遮断しているときの補給装置を示す側面図である。
【図３】図１に示すストッパーが遊技媒体の補給を可能にしているときの補給装置を示す側面図である。
【図４】図１の補給装置の一部を分解して示す補給装置の分解斜視図である。
【図５】補給装置から遊技機に遊技媒体が補給されているときの様子を説明する説明図である。
【図６】遊技機が所定の装着位置から離れているときに補給装置が遊技媒体の補給を停止しているときの様子を説明する説明図である。
【図７】本発明の第２の実施の形態にかかる遊技媒体の補給装置を示す正面図である。
【図８】図７に示すストッパーが遊技媒体の落下を遮断しているときの補給装置を示す側面図である。
【図９】図７に示すストッパーが遊技媒体の補給を可能にしているときの補給装置を示す側面図である。
【図１０】補給装置から遊技機に遊技媒体が補給されているときの様子を説明する説明図である。
【図１１】遊技機が所定の装着位置から離れているときに補給装置が遊技媒体の補給を停止しているときの様子を説明する説明図である。
【図１２】従来の遊技媒体の補給装置を示す正面図である。
【図１３】従来の遊技媒体の補給装置を備える遊技機が遊技機島に装着されて遊技媒体の補給を受けている様子を示す図である。
【図１４】図１３における遊技機が所定の装着位置から離れたときの様子を示す図である。
【図１５】従来の遊技媒体の補給装置を側方から見た概略側面図である。
【図１６】図１５におけるストッパーを上から見た概略平面図である。
【図１７】遊技機島の所定の装着位置から遊技機が離れたときの様子を示す図である。
【符号の説明】
【００８５】
１０…遊技機島
１１…装着枠
２０…遊技機
２１…貯留タンク
３０…補給装置
３０Ａ…補給装置
３００…補給装置本体
３０１ａ…側壁
３０１ｂ…支持腕
３０２…ガイド溝
３０３…枢軸突起
３０４…開孔
３１０…出口
３２０…ブラケット
３４０…補給路部材
３４１…補給路
３４２…被接続端部
３４３…管部材
３４３ａ…外周壁
３４４…枢軸突起
３４５…ロック部材
３５０…ノズル
３５１…引張りコイルばね
３５２…昇降金具
３５２ａ…両側面
３５２ｂ…貫通孔
３５２ｃ…枢軸突起
３５３…ガイドピン
３６５ｂ…第１アームの先端部
３６６ｂ…第２アームの先端部
３６０…ストッパー
３６１…ピン
３６２…遮断ピン
３６３…レバー
３６４…回動部
３６４ａ…巻きばね
３６５…第１アーム
３６５ａ…先端部
３６６…第２アーム
３６６ａ…先端部
３７０…中継部材
３７０ａ…先端部
３７０ｂ…基端部
４００…ストッパー
４０１…巻きばね
４０２…遮断部
４０３…レバー
４０４…回動部
４０４ａ…アーム
４１０…ピン
４７０…中継部材
４７０ａ…先端部
４７０ｂ…基端部
Ｐ…遊技媒体
【図１】
2005230453.tif 000003
【図２】
2005230453.tif 000004
【図３】
2005230453.tif 000005
【図４】
2005230453.tif 000006
【図５】
2005230453.tif 000007
【図６】
2005230453.tif 000008
【図７】
2005230453.tif 000009
【図８】
2005230453.tif 000010
【図９】
2005230453.tif 000011
【図１０】
2005230453.tif 000012
【図１１】
2005230453.tif 000013
【図１２】
2005230453.tif 000014
【図１３】
2005230453.tif 000015
【図１４】
2005230453.tif 000016
【図１５】
2005230453.tif 000017
【図１６】
2005230453.tif 000018
【図１７】
2005230453.tif 000019